(57)【要約】【課題】枯草菌によって腐植化された有機栽培土を使用することにより低コスト有機栽培を可能にする。【解決手段】パイプにより組み立てられたベンチ２に大地面から離れて栽培槽３を取付け、栽培槽３に枯草菌によって腐植化された有機培土４を収容する。【選択図】　図１
2004065190.tif 000002
【特許請求の範囲】
【請求項１】
パイプにより組み立てられたベンチを地面上に設置し、ベンチに地面から離れて栽培槽を取付け、栽培槽に枯草菌によって腐植化された有機培土を収容したことを特徴とする植物の栽培装置。
【請求項２】
栽培槽は、内側底面から間隔を置いて配置された離床網を有することを特徴とする請求項１に記載の植物の栽培装置。
【請求項３】
栽培槽内に培地の温度を制御するための配管を配置したことを特徴とする請求項１または２に記載の植物の栽培装置。
【請求項４】
有機培土は、鹿沼土、ピートモス、腐葉土、真砂土、バーミキュラサイト、赤玉土、やしがら選択される少なくとも１つの培土にバチルス・サブチルス菌およびバチルス・チューリンゲンシス菌の少なくとも一方を含む枯草菌を混入することで形成されることを特徴とする請求項１に記載の植物の栽培装置。
【請求項５】
栽培槽内の培地に電気分解により生成される電解水またはマイナスイオン水を給水することを特徴とする請求項１ないし４のいずれかに記載の植物の栽培装置。
【請求項６】
栽培槽内の培地に棒状とした枯草菌によって腐植化された有機培土を差し込むことで追肥することを特徴とする請求項１ないし５のいずれかに記載の植物の栽培装置。
【発明の詳細な説明】
【０００１】
【発明の属する技術分野】
本発明は、地面から離れて配置した栽培槽に枯草菌によって腐植化された有機培土を収容した植物の栽培装置に関する。
【０００２】
【従来の技術】
従来のベンチ栽培システムは、地面に立設した支柱と、支柱の所定の高さ位置に固定された栽培容器と、栽培容器内に収容された有細粒綿状のロックウールやピートモス、やしがらなどの培土とを有し、植物を培土に供給される液肥により育成するようにしている。
【０００３】
また、少量の培土で液肥を多潅水するシステムや、有機培地の培土量を多くし有機培地を利用して水または液肥の管理を行なうシステムは知られている。これらのシステムは、作業姿勢の改善、雑草抑制などの利点から果実、野菜、花などの栽培に利用されている。
【０００４】
【発明が解決しようとする課題】
従来のベンチシステムは、単一の作物対応型でありその省力化を目的とした栽培システムによって初期設備投資が高額であるとともに設備の増改築や他の作物の転換に対応できない。
【０００５】
また、ロックウールを使用した栽培システムは、連作が可能とされているが初期投資が高額であるとともに破棄時の産業廃棄物処理の問題がある。
【０００６】
また、籾殻、ピートモス、やしがら、鹿沼土などを使用した自然発酵の有機培土による栽培は、有益菌以外の雑菌の繁殖による病害虫防止目的として化学肥料や農薬の過剰使用による連作障害が起こることから培土入れ替えを余儀なくされるので、結果的に設備投資額が増えるとともに作業の手間がかかっている。また、害虫防除の面でも農薬の過剰使用による環境問題、食品としての安全面などの問題がある。
【０００７】
さらに、近年の農業では、化学肥料の過剰による硝酸性窒素による地下水汚染などの環境汚染問題が深刻化し、特に、液肥を使用した従来のベンチ栽培方式では、液肥が掛け流しであることから問題が大きい。
【０００８】
さらに、従来の苺ベンチ栽培は、主として晩秋に定植して１１月中旬より５月までの間収穫しており、設備の有効利用や単位面積当たりの収穫高を増加させることに問題がある。
【０００９】
本発明は、上記した点を考慮してなされたもので、枯草菌によって腐植化された有機培土を用いることで、土壌病害虫を抑制するとともに、農薬の使用を低減できる植物の栽培装置を提供することを目的とする。
【００１０】
【課題を解決するための手段】
本発明による植物の栽培装置は、パイプにより組み立てられたベンチを地面上に設置し、ベンチに地面から離れて栽培槽を取付け、栽培槽に枯草菌によって腐植化された有機培土を収容したことで、枯草菌によって腐植化された有機培土が、植物に必要な栄養成分やミネラル分などを含み、植物に取り入れ易い状態に効率よく分解されるので、植物は生育がよく高品質で高収量になる。
【００１１】
本発明による植物の栽培装置は、有機培土に混入される枯草菌が納豆菌と同じバチルス・サブチルス属に属したグラム陽性の有胞子性桿菌であり、土壌微生物による土壌改良効果や灰色カビなどの病原菌の抑制効果があるバチルス・サブチルス菌及びガやコガネムシなどの天敵微生物であるバチルス・チューリンゲンシス菌などによって、有機培地は土壌改良効果と病害虫抑制効果を合わせ持っており、様々な土壌と混合し使用することで連作障害の回避や農薬撒布を減少させることができる。
【００１２】
また、本発明による植物の栽培装置は、枯草菌によって腐植化された有機培土をスティック状（棒状）として栽培槽へ差し込むことによって追肥作業の省力化を図ることができる。
【００１３】
また、本発明による植物の栽培装置は、栽培槽の下部に空気層ができるように離床網を取付けることで、酸欠による植物の根腐れ防止効果と枯草菌の働きを良好に保ち、植物は高品質かつ高収穫になる。
【００１４】
また、本発明による植物の栽培装置は、電解水やマイナスイオン水を給水として利用することによって各種栄養素の吸収が促進され植物は高品質かつ高収穫になる。
【００１５】
【発明の実施形態】
以下、本発明の実施形態を図面を参照しながら説明する。
図１は本発明による植物栽培装置の斜視図を示し、図２は本発明による植物栽培装置の断面図を示す。
本発明による植物栽培装置１は、地面に設置されたベンチ２と、ベンチ２に支持された栽培槽３と、栽培槽３に収容された有機培土４とを有する。
【００１６】
上記ベンチ２は、地面に立設された複数列、たとえば２列の支柱パイプ５，５と、２列に配置された支柱パイプ５，５のうちの対をなす支柱パイプ５，５同士を適当高さ位置で橋絡する高さ調整パイプ６と、各列の支柱パイプ５に沿うように各高さ調整パイプ６に取り付けられ栽培槽３を支持する複数列の支持パイプ７と、各列の支柱パイプ５に取り付けられ栽培槽３を固定する固定パイプ８，８とを有する。
【００１７】
また、上記ベンチ２は、２列の支柱パイプ５，５の高さ調整パイプ６より下方の位置に高さ調整パイプ６と平行に取り付けられた樋受けパイプ９と、２列の支柱パイプ５，５の固定パイプ８より上方の位置で高さ調整パイプ６と平行に取り付けられた遮光ネット取り付けパイプ１０とを有する。各樋受けパイプ１０には、栽培槽３から排出される排水を受ける排水樋１１が栽培槽３の長手方向に沿って傾斜配置されている。
【００１８】
上記ベンチ２は、各構成部材をビニールハウス組み立て資材を利用することから容易に入手することができ、組み立て作業やその調整も容易に行えるので栽培者の使用しやすい高さでの作業が可能で作業姿勢改善による効率アップが期待できる。また、上記ベンチ２は、限られた面積での収穫増加を目指す場合の多段式栽培への増設については、支柱パイプ５に多段に各種パイプを取付けることにより余分な経費や手間を掛けずに行なうことができる。
【００１９】
上記栽培槽３は、断面逆台形の発砲スチロール製栽培槽本体３ａと、栽培槽本体３ａを保温をする保温シート１２と、栽培槽本体３ａの内側底面から間隔を置いて配置された離床網１３と、栽培槽本体３ａの内側底面と離床網１３との間に形成される空間１４に配置された多孔パイプ１５と、栽培槽本体３ａの培土収容空間に配置された有機培地４の温度をコントロールするための配管１６とを有する。
【００２０】
栽培槽本体３ａは、使用目的に応じて、発砲スチロール製ではなく、プラスチック製としたり鉄製とすることができる。また、栽培槽本体３ａの大きさは、作物によって生産者が任意に決めることができるので作物別により高度な栽培に対応できる。
【００２１】
上記栽培槽３は、保温シート１２をベンチ２の高さ調整パイプ６の上側を通って固定パイプ８に固定し、栽培槽本体３ａを高さ調整パイプ６に配置された支持パイプ７，７に支持させることでベンチ２の所定位置に設置される。
また、栽培槽３は、配管１６を図示しない貯水タンクに接続し、配管１６に貯水タンクから供給される廃熱やヒーターによる水、井戸水、冷却水等を通すことで有機培地４の温度を栽培する植物や枯草菌が活動しやすい温度に保つことができる。
【００２２】
上記有機培土４は、鹿沼土、ピートモス、腐葉土、真砂土、バーミキュラサイト、赤玉土、やしがら等の有機培土を枯草菌によって腐植化し、さらに天然ミネラル分や天然有機肥料分を栽培する植物に合わせてコントロールすることで形成される。有機培土４は、混入した枯草菌により植物に必要な栄養成分およびミネラル分が植物に取り入れ易い状態に効率よく分解されている。有機培土４は、栽培槽本体３ａの離床網１３の上に形成される収容空間に所定量収容される。
【００２３】
有機培土４に使用される枯草菌は、納豆菌と同じバチルス・サブチルス属に属したグラム陽性の有胞子性桿菌であり、土壌微生物による土壌改良効果や灰色カビなどの病原菌の抑制効果があるバチルス・サブチルス菌および蛾やコガネムシなどの天敵微生物であるバチルス・チューリンゲンシス菌などによって土壌改良効果と病害虫抑制効果を併せ持っている。枯草菌は、様々な土壌と混合し使用することで連作障害の回避や農薬撒布を減少させることができる。
【００２４】
さらに、栽培槽３には、有機培土４に給水するための複数の点滴チューブ１７、株元及び培地表面の温度をコントロールするための循環ホース１８および培地の温度調整と病害虫防除のためのカバー１９が配置されている。
【００２５】
さらに、栽培槽３には、果実の枝折れを防止するための枝折れ防止パイプ２０、果実遮光ネット２１、果実の温度上昇を防止する果実冷却用送風ダクト２２等が付設されている。
【００２６】
また、追肥方法として、枯草菌により腐植化された有機培土をスティック状（棒状）にして栽培槽３の有機培土４へ差し込むことで追肥作業の省力化を図ることができる。これにより、植物は有機完全無農薬栽培により生育が良く高品質、高収量になる。
【００２７】
有機培土４への給水制御は、週間タイマーによって任意の時間に決まった量の給液を送ることができるので、条件が格段に変化しない限り自動的に給水を行なうことによって栽培者の負担を軽減できる。
【００２８】
また、給水に電気分解水やマイナスイオン水を利用することにより植物の栄養吸収を促進することができ、さらに、高度な制御を望む場合は、土壌水分検出器、雨天感知器、積算照度計、室温計、温度計、ＥＣ計、排水感知計などの増設により自動管理ができる。
【００２９】
実際の栽培システムにおいては、ベンチ２に多段に栽培槽３を配置しており、栽培層３の段数は、栽培する植物や目標とする品質、収量によって変化させることができる。
【００３０】
なお、枯草菌有機肥料の使用量は、イチゴ・レタスの場合には培土に対して３％程度、ナス・トマトの場合には培土に対して５％程度、ハクサイ・ホウレンソウの場合には培土に対して７％程度である。
【００３１】
【発明の効果】
本発明においては、栽培糟に収容された枯草菌によって腐植化された有機培土は、枯草菌の働きにより土壌の有機分を順次分解し植物に吸収されやすい栄養素に変化させるので、有機培土により育成される植物は、良好な状態を保つことができ、枯草菌には生物農薬としての作用があり、土壌病害虫を抑制することができるので農薬の低減をすることが可能である。
【００３２】
また、本発明においては、枯草菌によって腐植化された有機培土を用いることで、農薬、化学肥料の過剰使用により土壌中の有益菌が激減することが原因となる連作障害などがなく、培土の連作障害も低減される。
【００３３】
また、本発明においては、栽培槽の下部に空気層ができるように離床網を取付けたことで、酸欠による植物の根腐れ防止効果と枯草菌の働きを良好に保つことができる。
【００３４】
また、本発明においては、栽培糟に枯草菌によって腐植化された有機培土の温度をコントロールするための配管を設置し、配管に廃熱やヒーターによる温水、井戸水、冷却水等を貯水タンクから送り込み、有機培土の温度を栽培する植物や枯草菌が活動しやすい温度に保つことによって植物の育成が促進される。
【００３５】
また、本発明においては、追肥方法として、枯草菌によって腐植化された有機培土をスティック状にして栽培槽へ差し込むことで、追肥作業の省力化を図ることができる。
【００３６】
また、本発明においては、液肥や給水に電気分解水やマイナスイオン水を使用することにより植物の吸収力を高め枯草菌との相乗効果により良好な生育状態に保つことができる。
【図面の簡単な説明】
【図１】本発明による植物栽培装置の一部を示す斜視図。
【図２】本発明による植物栽培装置の側面図。
【符号の説明】
１　植物栽培装置
２　ベンチ
３　栽培槽
４　有機培土
５　支柱パイプ
６　高さ調整パイプ
１３　離床網
１５　多孔パイプ
１６　配管
【図１】
2004065190.tif 000003
【図２】
2004065190.tif 000004